(57)【特許請求の範囲】
【請求項１】
２つの硬貨収納部を結ぶ硬貨搬送路に沿って、一方の前記硬貨収納部から硬貨を繰り出し、その硬貨を他方の前記硬貨収納部へ搬送する硬貨搬送手段と、
前記硬貨搬送手段が、硬貨の繰り出し側である前記一方の硬貨収納部から繰り出し、前記他方の硬貨収納部に搬送している硬貨について、金種、および真偽を識別する第１の識別手段と、
前記硬貨搬送手段が、前記一方の硬貨収納部から、前記他方の硬貨収納部に搬送している硬貨であって、前記第１の識別手段が金種、および真硬貨であることを識別した硬貨の枚数をカウントする第１のカウント手段と、
前記一方の硬貨収納部に対して、詰まり検出用硬貨を供給する硬貨供給手段と、
前記硬貨供給手段が、前記一方の硬貨収納部に対して供給する詰まり検出用硬貨について、金種、および真偽を識別する第２の識別手段と、
前記硬貨供給手段が、前記一方の硬貨収納部に対して供給する詰まり検出用硬貨であって、前記第２の識別手段が金種、および真硬貨であることを識別した詰まり検出用硬貨の枚数をカウントする第２のカウント手段と、
前記硬貨搬送手段により、前記硬貨供給手段が前記一方の硬貨収納部に供給した詰まり検出用硬貨を、前記他方の硬貨収納部へ搬送したときに、前記第１のカウント手段がカウントした硬貨の枚数と、前記第２のカウント手段がカウントした硬貨の枚数と、に基づいて、前記硬貨搬送路での硬貨詰まりの発生有無を判定する判定手段と、を備えた硬貨処理装置。
【請求項２】
前記硬貨供給手段は、前記一方の硬貨収納部から繰り出し、前記他方の硬貨収納部へ搬送した硬貨の一部を、前記詰まり検出用硬貨として利用する手段である、請求項１に記載の硬貨処理装置。
【請求項３】
前記判定手段は、前記硬貨搬送手段により、前記硬貨供給手段が前記一方の硬貨収納部に供給した詰まり検出用硬貨を、前記他方の硬貨収納部へ搬送したときに、前記第１のカウント手段がカウントした硬貨の枚数と、前記第２のカウント手段がカウントした硬貨の枚数と、が同じ枚数であれば硬貨詰まりが発生していないと判定する手段である、請求項１、または２に記載の硬貨処理装置。
【請求項４】
前記判定手段は、前記硬貨搬送手段により、前記硬貨供給手段が前記一方の硬貨収納部に供給した詰まり検出用硬貨を、前記他方の硬貨収納部へ搬送したときに、前記第１のカウント手段がカウントした硬貨の枚数が、前記第２のカウント手段がカウントした硬貨の枚数よりも少なければ硬貨詰まりが発生していると判定する手段である、請求項１〜３のいずれかに記載の硬貨処理装置。
【請求項５】
前記判定手段は、前記硬貨搬送手段により、前記硬貨供給手段が前記一方の硬貨収納部に供給した詰まり検出用硬貨を、前記他方の硬貨収納部へ搬送したときに、前記第１のカウント手段がカウントした硬貨の枚数が、前記第２のカウント手段がカウントした硬貨の枚数よりも多ければ硬貨詰まりが発生していないと判定する手段である、請求項１〜４のいずれかに記載の硬貨処理装置。
【発明の詳細な説明】
【技術分野】
【０００１】
本発明は、金融機関の店舗に設置される現金自動預け払い機（ＡＴＭ）等に適用され、入出金取引で用いる硬貨を処理する硬貨処理装置に関する。
【背景技術】
【０００２】
従来、金融機関の店舗に設置されている現金自動預け払い機（所謂、ＡＴＭ）等には、硬貨処理装置が適用されている。硬貨処理装置は、入金取引や出金取引等で用いる硬貨を処理する。入金取引では、利用者によって投入された入金硬貨について、１枚ずつ金種、および真偽を識別し、金種毎の枚数、および合計金額を得る。
【０００３】
入金取引では、利用者本人が今回投入した硬貨の合計金額を認識していない場合がある。例えば、自宅等で適当に溜めていた硬貨を纏めて投入することがある。このような場合、硬貨搬送路において、入金された硬貨が詰まると、得られる合計金額と、実際の投入金額と、の間に差が生じ、当該利用者に対する入金処理が適正に行えない。特に、変形等により金種、または真偽の識別が行えない硬貨は、硬貨搬送路に詰まる可能性が高い。
【０００４】
そこで、金種、または真偽が識別できなかった硬貨（所謂、返却硬貨）があったときには、これらの返却硬貨について金種の再識別を行うことにより、硬貨搬送路における硬貨の詰まりを検出することも提案されている（特許文献１参照）。具体的には、最初に金種が識別できなかった硬貨の枚数と、実際に金種の再識別を行った硬貨の枚数と、を比較し、搬送路上における硬貨の詰まりも検出する。
【先行技術文献】
【特許文献】
【０００５】
【特許文献１】特開２００１−６７５１６号公報
【発明の概要】
【発明が解決しようとする課題】
【０００６】
しかしながら、上述した特許文献１は、入金硬貨の中に、金種または真偽が識別できなかった硬貨があったときにのみ、硬貨搬送路において硬貨の詰まりが発生しているかどうかを検出しているだけであった。言い換えれば、入金硬貨の中に、金種および真偽（真硬貨であること）が識別できなかった硬貨がなかったときには、硬貨搬送路において硬貨の詰まりが発生しているかどうかの検出を行っていない。
【０００７】
なお、金種、または真偽が識別できない硬貨が詰まり、結果的に返却硬貨が発生しないことや、金種、および真偽が識別できる硬貨が硬貨搬送路に詰まることもある。
【０００８】
したがって、特許文献１に記載されている装置では、硬貨搬送路において発生した硬貨詰まりが検出できなかったり、その検出が遅れることがある。取引処理時に、その取引において硬貨の詰まりが発生したかどうかの検出が行えないと、硬貨搬送路に詰まった硬貨が、後の利用者が投入した硬貨として処理されることになる。すなわち、ある利用者が投入した硬貨が、別の利用者が投入した硬貨として処理される危険性があり、金融機関の信用を著しく低下させる問題を引き起こすことにもなりかねない。
【０００９】
この発明の目的は、硬貨搬送路上における硬貨の詰まりが遅滞なく適正に検出でき、信頼性の向上を図った硬貨処理装置を提供することにある。
【課題を解決するための手段】
【００１０】
この発明の硬貨処理装置は、上記課題を解決し、その目的を達するために、以下のように構成している。
【００１１】
硬貨搬送手段は、２つの硬貨収納部を結ぶ硬貨搬送路に沿って、一方の硬貨収納部から硬貨を繰り出し、その硬貨を他方の硬貨収納部へ搬送する。例えば、入金取引では、一方の硬貨収納部は、利用者が入金硬貨を投入する入出金硬貨保留部になり、他方の硬貨収納部は、入金硬貨を一時的に保留する一時保留部になる。また、硬貨の補充処理では、一方の硬貨収納部は、補充硬貨を収納している運用カートリッジになり、他方の硬貨収納部は、出金硬貨を金種別に分けて保留する金種別硬貨収納部になる。このように、一方の硬貨収納部と、他方の硬貨収納部と、は、装置本体が実行する動作によって変化する。
【００１２】
第１の識別手段は、硬貨搬送手段が、硬貨の繰り出し側である一方の硬貨収納部から繰り出し、他方の硬貨収納部に搬送している硬貨について、金種、および真偽を識別する。また、第１のカウント手段は、硬貨搬送手段が一方の硬貨収納部から、他方の硬貨収納部に搬送している硬貨であって、第１の識別手段が金種、および真硬貨であることを識別した硬貨の枚数をカウントする。
【００１３】
また、硬貨供給手段が、一方の硬貨収納部に対して、詰まり検出用硬貨を供給する。また、第２の識別手段は、硬貨供給手段が一方の硬貨収納部に対して供給する詰まり検出用硬貨について、金種、および真偽を識別する。さらに、第２のカウント手段が、硬貨供給手段が一方の硬貨収納部に対して供給する詰まり検出用硬貨であって、第２の識別手段が金種、および真硬貨であることを識別した詰まり検出用硬貨の枚数をカウントする。
【００１４】
そして、判定手段は、硬貨搬送手段により、硬貨供給手段が一方の硬貨収納部に供給した詰まり検出用硬貨を、他方の硬貨収納部へ搬送したときに、第１のカウント手段がカウントした硬貨の枚数と、第２のカウント手段がカウントした硬貨の枚数と、に基づいて、硬貨搬送路での硬貨詰まりの発生有無を判定する。
【００１５】
判定手段は、例えば、前記第１のカウント手段、および前記第２のカウント手段の両方においてカウントされた、詰まり検出用硬貨の枚数が同じであれば、硬貨詰まりが発生していないと判定する。
【００１６】
また、前記第１のカウント手段がカウントした硬貨の枚数が、前記第２のカウント手段がカウントした硬貨の枚数よりも少なければ硬貨詰まりが発生していると判定する。
【００１７】
さらに、前記第１のカウント手段がカウントした硬貨の枚数が、前記第２のカウント手段がカウントした硬貨の枚数よりも多ければ、発生した硬貨詰まりが解消した（硬貨詰まりが発生していない。）と判定してもよいし、硬貨詰まりが発生している可能性があると判定するようにしてもよい。
【００１８】
前記詰まり検出用硬貨は、前記硬貨搬送手段が前記硬貨収納部の一方から繰り出し、前記硬貨収納部の他方へ搬送した硬貨の一部を抜き取って利用してもよいし、別に設けておいてもよい。
【発明の効果】
【００１９】
この発明によれば、硬貨搬送路上における硬貨の詰まりが遅滞なく適正に検出でき、信頼性の向上が図れる。
【図面の簡単な説明】
【００２０】
【図１】硬貨処理装置の主要部の構成を示すブロック図である。
【図２】硬貨処理装置の内部構成を示す概略図である。
【図３】硬貨処理装置における入金取引処理を示すフローチャートである。
【図４】硬貨処理装置における入金取引処理を示すフローチャートである。
【図５】硬貨処理装置における硬貨補充処理を示すフローチャートである。
【図６】硬貨処理装置における硬貨補充処理を示すフローチャートである。
【発明を実施するための形態】
【００２１】
以下、この発明の実施形態である硬貨処理装置について説明する。
【００２２】
図１は、この発明の実施形態である硬貨処理装置の主要部の構成を示すブロック図である。図２は、この硬貨処理装置の内部構成を示す概略図である。この硬貨処理装置１は、金融機関の店舗に設置されている現金自動預け払い機（所謂、ＡＴＭ）等に適用される。この硬貨処理装置１は、入出金取引で用いる硬貨を処理する。
【００２３】
この硬貨処理装置１は、制御部２と、シャッタ開閉部３と、識別部４と、繰出部５と、搬送部６と、通信部７と、を備えている。制御部２は、この硬貨処理装置１本体の動作を制御する。
【００２４】
シャッタ開閉部３は、本体前面に設けられた入出金硬貨保留部３２の上方に位置するシャッタ３１の開閉を制御する。利用者は、シャッタ３１が開されているときに、入出金硬貨保留部３２に対する硬貨の投入や、入出金硬貨保留部３２からの硬貨の取り出しが行える。
【００２５】
識別部４は、第１の識別部４１と、第２の識別部４２と、を有している。第１の識別部４１、および第２の識別部４２は、硬貨毎に、その金種、および真偽を識別する。第１の識別部４１は、入出金硬貨保留部３２から繰り出した硬貨について、金種、および真偽を識別する。第２の識別部４２は、入出金硬貨保留部３２へ送り込まれる硬貨について、金種、および真偽を識別する。
【００２６】
搬送部６は、硬貨搬送路６０に沿って硬貨を搬送する。硬貨搬送路６０は、入出金硬貨保留部３２に投入された硬貨を、第１の識別部４１を介して一時保留部５２や金種別硬貨収納部５３に搬送する搬送路、運用カートリッジ５４に収納されている硬貨を第２の識別部４２を介して入出金硬貨保留部３２へ搬送する搬送路を有している。また、硬貨搬送路６０には、第１の識別部４１で金種、または真硬貨であることが識別できなかった硬貨（以下、返却硬貨と言う。）を貯留する返却硬貨貯留部５６、および一時保留部５２を経由させた硬貨（この発明で言う詰まり検出用硬貨）を貯留する詰まり検出用硬貨貯留部５５を設けた搬送路を有している。詰まり検出用硬貨貯留部５５と、返却硬貨貯留部５６と、はフラッパによって区切っている。このため、詰まり検出用硬貨貯留部５５と、返却硬貨貯留部５６とに貯留している硬貨が混ざることはない。また、硬貨搬送路６０は、金種別硬貨収納部５３から繰り出した硬貨を、詰まり検出用硬貨貯留部５５、返却硬貨貯留部５６、および第２の識別部４２を経由させて入出金硬貨保留部３２へ搬送する搬送路も有している。
【００２７】
このように、硬貨搬送路６０は、本体内部において、硬貨を循環させることができるように形成されている。
【００２８】
一時保留部５２に保留している硬貨は、詰まり検出用硬貨貯留部５５、または運用カートリッジ５４に選択的に放出できる。金種別硬貨収納部５３は、金種毎に、当該金種の硬貨を収納する金種別硬貨カートリッジを有している。この金種別硬貨カートリッジに収納している硬貨が、出金用硬貨として利用される。
【００２９】
繰出部５は、入出金硬貨保留部３２、一時保留部５２、金種別硬貨収納部５３、運用カートリッジ５４等に収納されている硬貨を分離して、１枚ずつ硬貨搬送路６０に繰り出す繰出ローラ（不図示）を有している。通信部７は、硬貨処理装置１本体が適用された上位装置（例えば、ＡＴＭ）との間における通信を行う。
【００３０】
この硬貨処理装置１は、入金処理や、硬貨補充処理で、硬貨を硬貨搬送路６０に沿って搬送した後、当該硬貨搬送路６０上において硬貨の詰まりが発生しているかどうかを検出する。
【００３１】
以下、この硬貨処理装置１の動作について説明する。
【００３２】
図３、および図４は、この硬貨処理装置における入金取引処理を示すフローチャートである。硬貨処理装置１は、上位装置からの指示にしたがって、シャッタかシャッタ開閉部３が入出金硬貨保留部３２の上方に位置するシャッタ３１を開する（ｓ１）。上位装置は、利用者が硬貨による入金を指示する入力操作を行うと、この指示を硬貨処理装置１に通知する。
【００３３】
利用者は、シャッタ３１が開されると、今回入金する硬貨を入出金硬貨保留部３２に投入し、投入完了にかかる入力操作を行う。このとき、利用者は、所持している硬貨を適当に（金種毎の枚数を認識せずに）投入することもある。すなわち、投入した硬貨の合計金額を認識していない利用者もいる。上位装置は、利用者による投入完了の入力操作に応じて、その旨を硬貨処理装置１に通知する。
【００３４】
硬貨処理装置１は、上位装置から硬貨の投入完了が通知されると、シャッタ３１を閉する（ｓ２、ｓ３）。硬貨処理装置１は、繰出部５が今回投入された硬貨を硬貨搬送路６０に繰り出す繰出処理を開始する（ｓ４）。ｓ４で繰り出された硬貨は、第１の識別部４１に搬送され、金種、および真偽について識別される。硬貨処理装置１は、金種、および真硬貨であることが識別できた硬貨を一時保留部５２に搬送する（ｓ５、ｓ６）。一方、金種、または真硬貨であることの少なくとも一方が識別できなかった硬貨（以下、返却硬貨と言う。）については、返却硬貨貯留部５６に搬送し、貯留する（ｓ５、ｓ７）。このとき、返却硬貨貯留部５６を設けている搬送路については停止している。また、硬貨処理装置１は、第１の識別部４１で金種および真硬貨であることが識別された硬貨について、金種毎に、その枚数をカウントしている。
【００３５】
硬貨処理装置１は、上述したｓ５〜ｓ７にかかる処理を、今回入出金硬貨保留部３２に投入された硬貨がなくなるまで繰り返す（ｓ８）。
【００３６】
硬貨処理装置１は、ｓ８で今回投入された全ての入金硬貨について、ｓ５〜ｓ７にかかる処理が完了したと判定すると、返却硬貨貯留部５６に貯留している返却硬貨の有無を判定する（ｓ９）。
【００３７】
硬貨処理装置１は、ｓ９で返却硬貨があると判定すると、返却硬貨貯留部５６に貯留している返却硬貨を入出金硬貨保留部３２に搬送する（ｓ１０）。硬貨処理装置１は、入出金硬貨保留部３２への返却硬貨の搬送が完了すると、シャッタ３１を開し（ｓ１１）、返却硬貨を利用者に返却する。このとき、一時保留部５２に保留している硬貨（今回、金種、および真硬貨であることが識別された硬貨）について、合計金額を上位装置に通知しており、当該上位装置の表示部で表示される。
【００３８】
利用者は、硬貨の再投入を行うかどうかについての入力操作を行う。上位装置は、硬貨の再投入にかかる入力操作を受け付けると、硬貨処理装置１に対して、硬貨の再投入を通知する。硬貨処理装置１は、上位装置から、この再投入にかかる通知があると（ｓ１２）、ｓ３に戻って、上記処理を繰り返す。
【００３９】
硬貨処理装置１は、ｓ９で返却硬貨が無いと判定した場合、または、ｓ１２で上位装置から硬貨の再投入無しにかかる通知を受信すると、一時保留部５２に保留している硬貨の一部、または全部を、詰まり検出用硬貨として詰まり検出用硬貨貯留部５５に送り出す（ｓ１３）。ｓ１３では、例えば１０枚〜３０枚程度の硬貨を、詰まり検出用硬貨として詰まり検出用硬貨貯留部５５に送り出す。
【００４０】
なお、ここでは、ｓ１３で一時保留部５２に保留している硬貨の一部、または全部を、詰まり検出用硬貨として詰まり検出用硬貨貯留部５５に送り出すとしたが、ｓ６で予め定めた枚数の硬貨を詰まり検出用硬貨貯留部５５に搬送し、その後、ｓ６での硬貨の搬送先を一時保留部５２に変更する処理であってもよい。
【００４１】
硬貨処理装置１は、一時保留部５２から詰まり検出用硬貨貯留部５５に送り出した詰まり検出用硬貨を、第２の識別部４２を介して入出金硬貨保留部３２に搬送する（ｓ１４）。このとき、硬貨処理装置１は、第２の識別部を通過した硬貨の枚数（検出用硬貨枚数）をカウントしている。
【００４２】
硬貨処理装置１は、入出金硬貨保留部３２に搬送した詰まり検出用硬貨を硬貨搬送路６０に繰り出す繰出処理を開始する（ｓ１５）。このとき、詰まり検出用硬貨は、第１の識別部４１を介して一時保留部に搬送する。このとき、硬貨処理装置１は、第１の識別部４１を通過した硬貨の枚数（検出用硬貨通過枚数）をカウントしている。
【００４３】
このとき、硬貨処理装置１は、第１の識別部４１で金種、および真硬貨であることが識別できた硬貨を一時保留部５２に搬送する（ｓ１６、ｓ１７）。一方、金種、または真硬貨であることの少なくとも一方が識別できなかった硬貨については、返却硬貨貯留部５６に搬送し、貯留する（ｓ１６、ｓ１８）。硬貨処理装置１は、上述したｓ１６〜ｓ１８にかかる処理を、今回入出金硬貨保留部３２に搬送した詰まり検出用硬貨がなくなるまで繰り返す（ｓ１９）。
【００４４】
硬貨処理装置１は、ｓ１４でカウントした検出用硬貨枚数と、ｓ１５でカウントした検出用硬貨通過枚数と、を比較し、両者が一致していれば、硬貨詰まりが発生していないと判定する（ｓ２０、ｓ２２）。
【００４５】
また、硬貨処理装置１は、ｓ１４でカウントした検出用硬貨枚数が、ｓ１５でカウントした検出用硬貨通過枚数よりも多ければ、硬貨詰まりが発生していると判定し、その旨を上位装置に通知する（ｓ２１、ｓ２３）。
【００４６】
さらに、硬貨処理装置１は、ｓ１４でカウントした検出用硬貨枚数が、ｓ１５でカウントした検出用硬貨通過枚数よりも少なければ、硬貨詰まりが発生している可能性有りと判定し、その旨を上位装置に通知する（ｓ２１、ｓ２４）。
【００４７】
なお、ｓ２４では、上述した処理で、詰まり検出用硬貨を搬送したことにより、硬貨搬送路６０における硬貨の詰まりが解消したと判定するようにしてもよい。
【００４８】
ここでは、詰まり検出用硬貨を搬送したことにより、その時点で硬貨搬送路６０に詰まっていた硬貨の一部が搬送されただけで、硬貨搬送路６０上における硬貨詰まりが完全に解消していない可能性があるため、ｓ２４で硬貨詰まりが発生している可能性有りと判定する構成としている。
【００４９】
硬貨処理装置１は、この後、上位装置から取引完了の通知を受信すると、一時保留部５２に保留している硬貨を、第１の識別部４１に搬送し、金種、および真偽を再度識別し、金種別硬貨収納部５３の該当する金種の金種別カートリッジに収納する。
【００５０】
また、硬貨処理装置１は、上位装置から取引中止にかかる通知を受信したときには、一時保留部５２に保留している硬貨を、入出金硬貨保留部３２に搬送し、利用者に返却する。
【００５１】
このように、この実施形態の硬貨処理装置１は、投入された入金硬貨から抜き取った詰まり検出用硬貨を、硬貨搬送路６０に沿って再搬送するので、硬貨搬送路６０上における硬貨の詰まりが遅滞なく適正に検出でき、信頼性の向上が図れる。
【００５２】
なお、上記の説明では、詰まり検出用硬貨として、今回投入された入金硬貨を利用する構成としたが、本体側で詰まり検出用硬貨を予め用意しておいてもよい。このようにすれば、入金硬貨の枚数に影響されることなく、詰まり検出用硬貨の枚数を常に同じにできる。
【００５３】
次に、運用カートリッジ５４に収納している硬貨を、金種別硬貨収納部５３の該当する金種の金種別カートリッジに収納する補充処理について説明する。
【００５４】
図５、および図６は、この補充処理を示すフローチャートである。
【００５５】
硬貨処理装置１は、運用カートリッジ５４に収納されている硬貨の繰り出しを開始し、硬貨を硬貨搬送路６０に沿って入出金硬貨保留部３２へ搬送する（ｓ３１）。硬貨処理装置１は、入出金硬貨保留部３２に搬送した硬貨を、１枚ずつ繰り出し、第１の識別部４１に搬送し、金種、および真偽を識別する（ｓ３２）。硬貨処理装置１は、第１の識別部４１で金種および真硬貨であることが識別できた硬貨を、予め定めた枚数だけ、一時保留部５２に搬送し、収納する（ｓ３３、ｓ３４）。硬貨処理装置１は、予め定めた枚数の硬貨を一時保留部５２に収納すると、第１の識別部４１で金種および真硬貨であると識別した硬貨については、金種別硬貨収納部５３の該当する金種の金種別カートリッジに搬送し、収納する（ｓ３３、ｓ３５）。
【００５６】
なお、硬貨処理装置１は、第１の識別部４１で金種または真硬貨であることの少なくとも一方が識別できなかった硬貨については、図示していない回収カートリッジに搬送し、収納する（ｓ３２、ｓ３６）。
【００５７】
硬貨処理装置１は、運用カートリッジ５４内に収納されていた全ての硬貨について、上述した処理を完了すると、一時保留部５２に保留している硬貨を、詰まり検出用硬貨として、運用カートリッジ５４に戻す（ｓ３７、ｓ３８）。
【００５８】
硬貨処理装置１は、運用カートリッジ５４に戻した硬貨を、再度、繰り出して入出金硬貨保留部３２へ搬送する（ｓ３９）。このとき、硬貨処理装置１は、第２の識別部４２を通過した硬貨の枚数を検出用硬貨枚数としてカウントしている。
【００５９】
硬貨処理装置１は、入出金硬貨保留部３２に搬送した詰まり検出用硬貨を、１枚ずつ繰り出し、第１の識別部４１に搬送し、金種、および真偽を識別する（ｓ３９、ｓ４０）。硬貨処理装置１は、第１の識別部４１で金種、および真硬貨であることを識別した硬貨を、金種別硬貨収納部５３の該当する金種の金種別カートリッジに搬送し、収納する（ｓ４１）。また、第１の識別部４１で金種または真硬貨であることの少なくとも一方が識別できなかった硬貨については、図示していない回収カートリッジに搬送し、収納する（ｓ４２）。硬貨処理装置１は、第１の識別部４１を通過した硬貨の枚数（検出用硬貨通過枚数）をカウントしている。
【００６０】
硬貨処理装置１は、詰まり検出用硬貨について上述した処理が完了すると（ｓ４３）、ｓ３９でカウントした検出用硬貨枚数と、ｓ４０でカウントした検出用硬貨通過枚数と、を比較し、両者が一致していれば、硬貨詰まりが発生していないと判定する（ｓ４４、ｓ４６）。
【００６１】
また、硬貨処理装置１は、ｓ３９でカウントした検出用硬貨枚数が、ｓ４０でカウントした検出用硬貨通過枚数よりも多ければ、硬貨詰まりが発生していると判定し、その旨を上位装置に通知する（ｓ４５、ｓ４７）。
【００６２】
さらに、硬貨処理装置１は、ｓ３９でカウントした検出用硬貨枚数が、ｓ４０でカウントした検出用硬貨通過枚数よりも少なければ、硬貨詰まりが発生している可能性有りと判定し、その旨を上位装置に通知する（ｓ４８）。
【００６３】
なお、ｓ４８では、上述した処理で、詰まり検出用硬貨を搬送したことにより、硬貨搬送路６０における硬貨の詰まりが解消したと判定するようにしてもよい。
【００６４】
ここでは、詰まり検出用硬貨を搬送したことにより、その時点で硬貨搬送路６０に詰まっていた硬貨の一部が搬送されただけで、硬貨搬送路６０上における硬貨詰まりが完全に解消していない可能性があるため、ｓ４８で硬貨の詰まりが発生している可能性有りと判定する構成としている。
【００６５】
このように、この実施形態の硬貨処理装置１は、運用カートリッジ５４に収納されている硬貨を、金種別硬貨収納部５３に補充する補充処理においても、硬貨搬送路６０上における硬貨の詰まりが遅滞なく適正に検出でき、信頼性の向上が図れる。
【００６６】
また、上記実施形態では、ｓ３８で一時保留部５２に保留している硬貨を、運用カートリッジ５４に戻すとしたが、運用カートリッジ５４に換えて、検出用硬貨貯留部５５に送り出す構成としてもよい。このようにすれば、詰まり検出用硬貨の搬送経路を短くすることができ、結果的に、補充処理にかかる時間の短縮が図れる。
【符号の説明】
【００６７】
１…硬貨処理装置
２…制御部
４…識別部
５…繰出部
６…搬送部
３２…入出金硬貨保留部
４１…第１の識別部
４２…第２の識別部
５２…一時保留部
５３…金種別硬貨収納部
５４…運用カートリッジ
５５…検出用硬貨貯留部
５６…返却硬貨貯留部
６０…硬貨搬送路
【図１】
0005394180.tif 000002
【図２】
0005394180.tif 000003
【図３】
0005394180.tif 000004
【図４】
0005394180.tif 000005
【図５】
0005394180.tif 000006
【図６】
0005394180.tif 000007